(57)【要約】      （修正有）【課題】二層の商品収容空間を設置するため、多人数でプレーできる二層クレーンゲーム機を提供する。【解決手段】二層クレーンゲーム機は機体１０、２個のレール組２０、少なくとも２組以上のクレーンキャッチ爪組３０を備え、機体１０内には上層空間１１と下層空間１２を設置し、機体１０下方には商品取り出し口１６Ａ、１６Ｂを設置し、２個の商品取り出し口１６Ａ、１６Ｂ内にはそれぞれ通路１４Ａ、１４Ｂを設置し、２個の通路１４Ａ、１４Ｂは下層空間１２と連通し、上層空間１１には連通孔１１１を設置し、連通孔１１１は通路１４Ａ、１４Ｂ上方に対応して設置され、レール組２０は機体１０の上層空間１１と下層空間１２の上方にクレーンキャッチ爪組３０を設置し、クレーンキャッチ爪組３０はレール組２０上に設置され、クレーンキャッチ爪組３０は操作台１７上に設置する操作レバー１７１と操作ボタンの制御を受け、レール組２０上で水平移動とキャッチを行う。【選択図】図３
0003206539.tif 000002
【実用新案登録請求の範囲】
【請求項１】
二層クレーンゲーム機は、機体、２個のレール組、少なくとも２組以上のクレーンキャッチ爪組を備え、
該機体内には、上層空間と下層空間を設置し、該機体内の、該下層空間に対応する下方は、第一隔板と第二隔板により、前通路と後通路とを区画して設置され、しかも該第一隔板と該第二隔板下側には、凸係止部を設置し、
該前通路と該後通路上方には、前商品落下口と後商品落下口とをそれぞれ形成し、該前商品落下口と該後商品落下口は、下層空間と連通し、しかも該前商品落下口と該後商品落下口との間は、軸レバーにより、「く」の字型を呈する分道板を設置し、該分道板は、該軸レバーを回転支点として、前或いは後へと回転し、
該機体前側には、上商品取り出し口と下商品取り出し口とを設置し、これにより該上商品取り出し口は、該前通路と連通し、該下商品取り出し口は、該後通路と連通し、しかも該上商品取り出し口と該下商品取り出し口には、それぞれ内側へと開けるシャッターを設置し、該シャッターの底端は、凸係止部に回転して対応し、これにより該シャッターは開かれた後、該凸係止部の係止を受けて停止し、
さらに、該上層空間後方には、連通孔を設置し、該連通孔は、該後商品落下口上方に対応し、
さらに、該機体前側には、操作台を設置し、該操作台上には、操作レバーと操作ボタンとを設置し、しかも該操作台上には、上選択ボタンと下選択ボタンとを設置し、該操作台上には、料金投入口を設置し、
該レール組は、該機体の上層空間と下層空間の上方に、クレーンキャッチ爪組を設置し、
該クレーンキャッチ爪組は、クレーンとキャッチ爪を備え、該クレーンは、該上層空間と該下層空間上方に設置するレール組上に設置され、該上層空間のクレーンキャッチ爪組は、該操作台の上選択ボタンと電気的に連接し、該下層空間のクレーンキャッチ爪組は、該操作台の下選択ボタンと電気的に連接し、しかも該上層空間と該下層空間のクレーンキャッチ爪組は、該操作台上に設置する操作レバーと操作ボタンの制御を受け、該レール組上で水平移動し商品をキャッチすることを特徴とする二層クレーンゲーム機。
【考案の詳細な説明】
【技術分野】
【０００１】
本考案は二層クレーンゲーム機に関し、特に二層の商品収容空間を設置するため、多人数でプレーできる二層クレーンゲーム機に関する。
【背景技術】
【０００２】
現在市場で見られるクレーンゲーム機は、機体を透明の板で囲み収容設置空間を形成する。
該収容設置空間上には、レールを設置し、該レール上にはクレーンを設置する。
該クレーン下方には、キャッチ爪を設置する。
該機体前方には、操作レバーと操作ボタンを設置する。
該操作レバーは、クレーンの移動方向を制御し、該キャッチ爪はクレーンに従い、レール上を水平に移動し位置を変えることができる。
該操作ボタンは、キャッチ爪のつかみ取りをコントロールする。
これにより、プレーヤーは狙った位置の商品をキャッチでき、こうして高度な趣味性を自主性を備えたクレーンゲームを提供することができる。
【０００３】
しかし、従来のクレーンゲーム機には、１個の収容設置空間、１個のクレーン、１個のキャッチ爪しか設置されていない。
そのため、操作しプレーできる人は一人だけであり、多人数で同時にプレーできず単調で面白みに欠け、競争できないという欠点があった。
業者は複数台のクレーンゲーム機を並べて設置し、たくさんの人がプレーできるようにしてはいるが、これでは設置のためにより大きな空間が必要であるばかりか、より高い電力負荷が必要で、空間と電気エネルギーを浪費している。
本考案は、従来のクレーンゲーム機の上記した欠点に鑑みてなされたものである。
【先行技術文献】
【特許文献】
【０００４】
【特許文献１】特開2005-80940号公報
【考案の概要】
【考案が解決しようとする課題】
【０００５】
本考案が解決しようとする課題は、二層の商品収容空間を設置するため、多人数でプレーでき、従来のクレーンゲーム機が備える欠点を改善できるクレーンゲーム機を提供することである。
【課題を解決するための手段】
【０００６】
上記課題を解決するため、本考案は下記の二層クレーンゲーム機を提供する。
二層クレーンゲーム機は、機体、２個のレール組、少なくとも２組以上のクレーンキャッチ爪組を設置し、
該機体内には、上層空間と下層空間を設置し、該機体内の、該下層空間に対応する下方は、第一隔板と第二隔板により、前通路と後通路とを区画して設置され、しかも該第一隔板と該第二隔板下側には、凸係止部を設置し、
該前通路と該後通路上方には、前商品落下口と後商品落下口とをそれぞれ形成し、該前商品落下口と該後商品落下口は、下層空間と連通し、しかも該前商品落下口と該後商品落下口との間は、軸レバーにより、「く」の字型を呈する分道板を設置し、該分道板は、該軸レバーを回転支点として、前或いは後へと回転し、
また、該機体前側には、上商品取り出し口と下商品取り出し口とを設置し、これにより該上商品取り出し口は、該前通路と連通し、該下商品取り出し口は、該後通路と連通し、
しかも、該上商品取り出し口と該下商品取り出し口には、それぞれ内側へと開けるシャッターを設置し、該シャッターの底端は、凸係止部に回転して対応し、これにより該シャッターは開かれた後、該凸係止部の係止を受けて停止し、
さらに、該上層空間後方には、連通孔を設置し、該連通孔は、該後商品落下口上方に対応し、
さらに、該機体前側には、操作台を設置し、該操作台上には、操作レバーと操作ボタンとを設置し、しかも該操作台上には、上選択ボタンと下選択ボタンとを設置し、該操作台上には、料金投入口を設置し、
該レール組は、該機体の上層空間と下層空間の上方に、クレーンキャッチ爪組を設置し、
該クレーンキャッチ爪組は、クレーンとキャッチ爪を備え、該クレーンは、該上層空間と該下層空間上方に設置するレール組上に設置され、該上層空間のクレーンキャッチ爪組は、該操作台の上選択ボタンと電気的に連接し、該下層空間のクレーンキャッチ爪組は、該操作台の下選択ボタンと電気的に連接し、しかも該上層空間と該下層空間のクレーンキャッチ爪組は、該操作台上に設置する操作レバーと操作ボタンの制御を受け、該レール組上で水平移動し商品をキャッチし、
上述の構造により、二層の設置空間を設置するため、多人数でプレーすることができる。
【考案の効果】
【０００７】
本考案の二層クレーンゲーム機は、業者はさまざまな種類の商品を入れることができ、プレーヤーに多様な選択を提供し、しかも同時に二人でプレーできるため、数人で楽しみ、また競争できるという効果を達成することができる。
【図面の簡単な説明】
【０００８】
【図１】本考案の立体図である。
【図２】本考案の前視図である。
【図３】本考案の側視図である。
【図４】本考案の側視図である。
【図５】４組の設置空間と４組のクレーンキャッチ爪組を設置する本考案第二実施形態の立体図である。
【図６】４組の設置空間と４組のクレーンキャッチ爪組を設置する本考案第二実施形態の前視図である。
【図７】本考案第二実施形態の立体図である。
【図８】本考案第二実施形態の前視図である。
【考案を実施するための形態】
【０００９】
以下に図面を参照しながら本考案を実施するための最良の形態について詳細に説明する。
【００１０】
図１〜図６は第一実施形態を示し、図７〜図８は第二実施形態を示す。
【００１１】
図１、２に示すように、本実施形態のクレーンゲーム機は、機体１０、２個のレール組２０、少なくとも２組以上のクレーンキャッチ爪組３０を備える。
【００１２】
該機体１０（同時に図３参照）内には、上層空間１１と下層空間１２を設置する。
【００１３】
該機体１０内の、該下層空間１２に対応する下方は、第一隔板１３Ａと第二隔板１３Ｂにより、前通路１４Ａと後通路１４Ｂとを区画して設置される。
【００１４】
しかも、該第一隔板１３Ａと該第二隔板１３Ｂ下側には、凸係止部１３１を設置する。
【００１５】
該前通路１４Ａと該後通路１４Ｂ上方には、前商品落下口１４１と後商品落下口１４２とをそれぞれ形成する。
【００１６】
該前商品落下口１４１と該後商品落下口１４２は、下層空間１２と連通する。
【００１７】
しかも、該前商品落下口１４１と該後商品落下口１４２との間は、軸レバー１５により、「く」の字型を呈する分道板１５１を設置し、該分道板１５１は、該軸レバー１５を回転支点として、前或いは後へと回転する。
【００１８】
また、該機体１０前側には、上商品取り出し口１６Ａと下商品取り出し口１６Ｂとを設置し、これにより該上商品取り出し口１６Ａは、該前通路１４Ａと連通し、該下商品取り出し口１６Ｂは、該後通路１４Ｂと連通する。
【００１９】
しかも、該上商品取り出し口１６Ａと該下商品取り出し口１６Ｂには、それぞれ各設有内側へと開けるシャッター１６１を設置し、該シャッター１６１の底端は、凸係止部１３１に回転して対応し、これにより該シャッター１６１は開かれた後、凸係止部１３１の係止を受けて停止する。
【００２０】
さらに、該上層空間１１後方には、連通孔１１１を設置し、該連通孔１１１は、該後商品落下口１４２上方に対応する。
【００２１】
さらに、該機体１０前側には、操作台１７を設置し、該操作台１７上には、操作レバー１７１と操作ボタン１７２とを設置し、しかも該操作台１７上には、上選択ボタン１７３と下選択ボタン１７４とを設置し、該操作台１７上には、料金投入口１７５を設置する。
【００２２】
該レール組２０（同時に図３参照）は、該機体１０の上層空間１１と下層空間１２の上方には、クレーンキャッチ爪組３０を設置する。
【００２３】
該クレーンキャッチ爪組３０（同時に図３参照）は、クレーン３１とキャッチ爪３２を備え、該クレーン３１は、該上層空間１１と該下層空間１２上方に設置するレール組２０上に設置される。
【００２４】
該上層空間３０のクレーンキャッチ爪組３０は、該操作台１７の上選択ボタン１７３と電気的に連接し、該下層空間１２のクレーンキャッチ爪組３０は、該操作台１７の下選択ボタン１７４と電気的に連接する。
【００２５】
しかも、該上層空間３０と該下層空間１２のクレーンキャッチ爪組３０は、該操作台１７上に設置する操作レバー１７１と操作ボタン１７２の制御を受け、該レール組２０上で水平移動し商品をキャッチする。
【００２６】
図１〜図３に示す第一実施形態では、該上層空間１１に、１組のレール組２０とクレーンキャッチ爪組３０を設置し、該下層空間１２にも同様に、１組のレール組２０とクレーンキャッチ爪組３０を設置し、しかも該操作台１７上には、１個の操作レバー１７１と１個の操作ボタン１７２を設置する。
【００２７】
上述の構造により、使用者は硬貨（或いはメダル）を料金投入口１７５に投入後、好みに応じて、上選択ボタン１７３を押して上層空間１１を選択し、或いは下選択ボタン１７４を押して下層空間１２を選択し、商品キャッチを行う。
【００２８】
該上層空間１１を選択すると、使用者は操作レバー１７１と操作ボタン１７２を利用し、上層空間１１に設置するクレーンキャッチ爪組３０のクレーン３１を操作し、レール組２０上で狙った位置まで移動させた後、操作ボタン１７２を利用し、キャッチ爪３２を制御して、商品をつかみ取ることができる。
【００２９】
続いて、該クレーン３１は、該上層空間１１に設置する連通孔１１１の上方に移動し（図４参照）、該キャッチ爪３２は商品をリリースすると、該商品は該連通孔１１１より下層空間１２に設置する後商品落下口１４２に落ちる。
【００３０】
続いて、商品は該分道板１５１を圧迫し、該分道板１５１を逆時計回りに回転させると、該商品は後通路１４Ｂに進入し、使用者が該下商品取り出し口１６Ｂに設置されるシャッター１６１を内側へとめくり開ければ、商品をつかみ取ることができる。
【００３１】
プレーヤーが該下層空間１２を選択すると、プレーヤーは操作レバー１７１と操作ボタン１７２を利用し、下層空間１２に設置するクレーンキャッチ爪組３０のクレーン３１を操作し、レール組２０上で狙った位置まで移送させれば、操作ボタン１７２を利用し、キャッチ爪３２を制御して商品をつかみ取る。
【００３２】
続いて、該クレーン３１は該下層空間１２に設置する前商品落下口１４１上方へと移動し（図５参照）、キャッチ爪３２は商品をリリースすると、該商品は分道板１５１を圧迫し、該分道板１５１は時計回りに回転し、該商品は前通路１４Ａに入り、使用者は上商品取り出し口１６Ａに設置されるシャッター１６１を内側へとめくり開けると、商品をつかみ取ることができる。
【００３３】
また、図６に示すように、泥棒が該上商品取り出し口１６Ａ或いは該下商品取り出し口１６Ｂから機体１０内の商品を盗もうとしても、該上商品取り出し口１６Ａと該下商品取り出し口１６Ｂには、それぞれシャッター１６１を設置し、しかも該第一隔板１３Ａと該第二隔板１３Ｂ下側には、凸係止部１３１を設置するため、該シャッター１６１を内側へとめくろうとしても、該凸係止部１３１の係止を受け、それ以上はめくり開けることができず、こうして該前通路１４Ａと該後通路１４Ｂを封鎖してしまうため、泥棒は機体１０内の商品を盗み取ることはできず、商品の安全を維持することができる。
【００３４】
また、図７、８に示す第二実施形態では、本考案の上層空間１１の左、右両側には、それぞれ連通孔１１１を設置する。
【００３５】
しかも、該上層空間１１中央には、隔板１１２とレール組２０を設置し、該レール組２０上には、２個のクレーンキャッチ爪組３０を設置し、該下層空間１２にも同様に、隔板１２１とレール組２０を設置し、該レール組２０上には、２個のクレーンキャッチ爪組３０を設置し、四つの設置空間を形成する。
【００３６】
しかも、該下層空間１２の左、右両側には、前通路１４Ａと後通路１４Ｂを設置し、該機体１０前側の左、右両辺には、上商品取り出し口１６Ａと下商品取り出し口１６Ｂを設置する。
【００３７】
該上商品取り出し口１６Ａ、該下商品取り出し口１６Ｂは、前通路１４Ａ、後通路１４Ｂとそれぞれ連通し、該前通路１４Ａと該後通路１４Ｂの上方には、前商品落下口１４１と後商品落下口１４２をそれぞれ設置し、該前商品落下口１４１と該後商品落下口１４２間には同様に分道板１５１を設置する。
【００３８】
同時に、該操作台１７の左、右両辺には、操作レバー１７１と操作ボタン１７２とをそれぞれ設置し、しかも操作台１７の左、右両辺には、上選択ボタン１７３と下選択ボタン１７４をそれぞれ設置し、該操作台１７上には、２個の料金投入口１７５を設置する。
【００３９】
これにより、該機体１０内には、４組のクレーンキャッチ爪組３０と設置空間を備えるため、業者はさまざまな種類の商品を入れることができ、プレーヤーに多様な選択を提供し、しかも同時に二人でプレーできるため、数人で楽しみ、また競争できるという効果を達成することができる。
【００４０】
上述した設計により、本考案は以下の長所を備える。
（一）本考案で機体１０内に上、下層空間１１、１２を設置し、２組のクレーンキャッチ爪組３０を設置すると、業者はさまざまな種類の商品を入れることができ、使用者に多様な選択を提供できるほか、２台のゲーム機を設置する必要がないため、スペースの浪費と電気エネルギーの耗損を節減できる。
（二）本考案の上、下層空間１１、１２にそれぞれ隔板を設置し、内部に２組のクレーンキャッチ爪組３０を設置すると、４個の収容設置空間が設置され、機体１０の操作台上には２組の操作レバー１７１と操作ボタン１７２を設置し、より多くの商品を入れられ、プレーヤーの選択を増やせ、しかもプレーヤーは二人同時にゲームが行え、競争競技、一緒に楽しめる面白みを達成できる。
（三）本考案の上商品取り出し口１６Ａと下層商品取り出し口１５Ｂには、内側へと開けるシャッター１６１をそれぞれ設置し、前通路１４Ａと後通路１４Ｂ内には、凸係止部１３１を設置し、シャッター１６１を内側へと高くめくり開けると、凸係止部１３１の係止を受けそれ以上はめくり開けられず、前通路１４Ａと後通路１４Ｂとを封鎖するため、機体１０内の商品の盗難を防止できる。
【００４１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４３】
１０  機体
１１  上層空間
１１１  連通孔
１１２  隔板
１２  下層空間
１２１  隔板
１３Ａ  第一隔板
１３Ｂ  第二隔板
１３１  凸係止部
１４Ａ  前通路
１４Ｂ  後通路
１４１  前商品落下口
１４２  後商品落下口
１５  軸レバー
１５１  分道板
１６Ａ  上商品取り出し口
１６Ｂ  下商品取り出し口
１６１  シャッター
１７  操作台
１７１  操作レバー
１７２  操作ボタン
１７３  上選択ボタン
１７４  下選択ボタン
１７５  料金投入口
２０  レール組
３０  クレーンキャッチ爪組
３１  クレーン
３２  キャッチ爪
【図１】
0003206539.tif 000003
【図２】
0003206539.tif 000004
【図３】
0003206539.tif 000005
【図４】
0003206539.tif 000006
【図５】
0003206539.tif 000007
【図６】
0003206539.tif 000008
【図７】
0003206539.tif 000009
【図８】
0003206539.tif 000010